(57)【要約】【課題】省エネルギー及びリップルノイズの低減を図ることが可能なバーストモード電源供給方法及びバーストモード電源供給装置を提供する。【解決手段】バーストモード電源供給装置は、電圧入力端と、パワースイッチ回路と、電圧出力端と、パルス幅変調信号生成回路と、を含む。パルス幅変調信号生成回路は、バーストモード電源供給装置がバーストモードに入るように、パルス幅変調信号によりパワースイッチ回路を制御する。バーストモード電源供給装置がバーストモードに制御されると、バーストモード電源供給装置の各パルス群内のパルス数、バーストモード電源供給装置の各パルス群内のパルス周波数、及びバーストモード電源供給装置の各パルス群内のパルスデューティサイクルを保持する。【選択図】図１
2017011792.tif 000002
【特許請求の範囲】
【請求項１】
電源供給装置がバーストモードで動作している場合、当該電源供給装置の各パルス群内のパルス数、パルス周波数及びパルスデューティサイクルを保持するステップを含むことを特徴とするバーストモード電源供給方法。
【請求項２】
各前記パルス群内のパルス数は、１、２又はｎ（ｎは１以上の整数）であることを特徴とする請求項１に記載のバーストモード電源供給方法。
【請求項３】
各前記パルス群内のパルスデューティサイクルは５０％であることを特徴とする請求項１に記載のバーストモード電源供給方法。
【請求項４】
電源供給装置がバーストモードに入るように制御するステップと、
前記電源供給装置が前記バーストモードに制御されると、前記電源供給装置の各パルス群内のパルス数を保持するステップと、
前記電源供給装置が前記バーストモードに制御されると、前記電源供給装置の各前記パルス群内のパルス周波数を保持するステップと、
前記電源供給装置が前記バーストモードに制御されると、前記電源供給装置の各前記パルス群内のパルスデューティサイクルを保持するステップと、を含むことを特徴とするバーストモード電源供給方法。
【請求項５】
各前記パルス群内のパルス数は、１、２又はｎ（ｎは１以上の整数）であることを特徴とする請求項４に記載のバーストモード電源供給方法。
【請求項６】
各前記パルス群内のパルスデューティサイクルは５０％であることを特徴とする請求項４に記載のバーストモード電源供給方法。
【請求項７】
電圧入力端と、
前記電圧入力端に電気的に接続されるパワースイッチ回路と、
前記パワースイッチ回路に電気的に接続される電圧出力端と、
前記パワースイッチ回路に電気的に接続されるパルス幅変調信号生成回路と、を含み、
前記パルス幅変調信号生成回路は、バーストモード電源供給装置がバーストモードに入るように、パルス幅変調信号により前記パワースイッチ回路を制御し、
前記バーストモード電源供給装置が前記バーストモードに制御されると、前記バーストモード電源供給装置の各パルス群内のパルス数を保持し、
前記バーストモード電源供給装置が前記バーストモードに制御されると、前記バーストモード電源供給装置の各前記パルス群内のパルス周波数を保持し、
前記バーストモード電源供給装置が前記バーストモードに制御されると、前記バーストモード電源供給装置の各前記パルス群内のパルスデューティサイクルを保持することを特徴とするバーストモード電源供給装置。
【請求項８】
入力電圧は、前記電圧入力端を通じて前記パワースイッチ回路に伝送され、
前記パルス幅変調信号生成回路によって、前記パルス幅変調信号が前記パワースイッチ回路に伝送されることにより、前記パワースイッチ回路は、前記パルス幅変調信号により前記入力電圧を出力電圧に変換するように制御され、
前記パワースイッチ回路は、前記電圧出力端を通じて前記出力電圧を出力することを特徴とする請求項７に記載のバーストモード電源供給装置。
【請求項９】
各前記パルス群内のパルス数は、１、２又はｎ（ｎは１以上の整数）であることを特徴とする請求項７に記載のバーストモード電源供給装置。
【請求項１０】
各前記パルス群内のパルスデューティサイクルは５０％であることを特徴とする請求項７に記載のバーストモード電源供給装置。
【発明の詳細な説明】
【技術分野】
【０００１】
本発明は、電源供給方法及び電源供給装置に関し、特に、バーストモード電源供給方法及びバーストモード電源供給装置に関する。
【背景技術】
【０００２】
電源供給装置がスタンバイモード又は軽負荷モードである場合、電源供給装置は、省エネルギーのために、バーストモード（ｂｕｒｓｔ  ｍｏｄｅ）に入るようにしている。
【発明の概要】
【発明が解決しようとする課題】
【０００３】
既存の電源供給装置は、バーストモードで動作し、かつ、電源供給装置に接続される負荷が変動（増加又は減少）すると、既存の電源供給装置の各パルス群（ｂｕｒｓｔ  ｃｌｕｍｐ）内のパルス数（ｐｕｌｓｅ  ｑｕａｎｔｉｔｙ）、パルス周波数（ｐｕｌｓｅ  ｆｒｅｑｕｅｎｃｙ）、パルスデューティサイクル（ｐｕｌｓｅ  ｄｕｔｙ  ｃｙｃｌｅ）、又はパルス群のバースト周波数（ｂｕｒｓｔ  ｆｒｅｑｕｅｎｃｙ）も変動する可能性がある。そのため、既存の電源供給装置は、省エネルギー及びリップルノイズの低減を両立するように設計することが難しい。
【０００４】
本発明の目的は、上述した従来技術の欠点を解消し、バーストモード電源供給方法を提供することにある。
【０００５】
また、本発明の他の目的は、上述した従来技術の欠点を解消し、バーストモード電源供給方法を提供することにある。
【０００６】
さらに、本発明の別の目的は、上述した従来技術の欠点を解消し、バーストモード電源供給装置を提供することにある。
【課題を解決するための手段】
【０００７】
上記目的を達成するために、本発明のバーストモード電源供給方法は、電源供給装置がバーストモードで動作している場合、当該電源供給装置の各パルス群内のパルス数、パルス周波数及びパルスデューティサイクルを保持するステップを含む。
【０００８】
上記他の目的を達成するために、本発明のバーストモード電源供給方法は、電源供給装置がバーストモードに入るように制御するステップと、前記電源供給装置が前記バーストモードに制御されると、前記電源供給装置の各パルス群内のパルス数を保持するステップと、前記電源供給装置が前記バーストモードに制御されると、前記電源供給装置の各前記パルス群内のパルス周波数を保持するステップと、前記電源供給装置が前記バーストモードに制御されると、前記電源供給装置の各前記パルス群内のパルスデューティサイクルを保持するステップと、を含む。
【０００９】
上記別の目的を達成するために、本発明のバーストモード電源供給装置は、電圧入力端と、前記電圧入力端に電気的に接続されるパワースイッチ回路と、前記パワースイッチ回路に電気的に接続される電圧出力端と、前記パワースイッチ回路に電気的に接続されるパルス幅変調信号生成回路と、を含む。前記パルス幅変調信号生成回路は、バーストモード電源供給装置がバーストモードに入るように、パルス幅変調信号により前記パワースイッチ回路を制御し、前記バーストモード電源供給装置が前記バーストモードに制御されると、前記電源供給装置の各パルス群内のパルス数を保持し、前記バーストモード電源供給装置が前記バーストモードに制御されると、前記バーストモード電源供給装置の各前記パルス群内のパルス周波数を保持し、前記バーストモード電源供給装置が前記バーストモードに制御されると、前記バーストモード電源供給装置の各前記パルス群内のパルスデューティサイクルを保持するが、前記パルス群のバースト周波数を保持しない。
【発明の効果】
【００１０】
本発明によれば、電源供給装置がバーストモードで動作している場合、省エネルギー及びリップルノイズの低減を両立することができる。
【図面の簡単な説明】
【００１１】
【図１】本発明のバーストモード電源供給方法の第１の実施例を示すフローチャート図である。
【図２】本発明のバーストモード電源供給方法の第２の実施例を示すフローチャート図である。
【図３】本発明のバーストモード電源供給装置のブロック図である。
【図４】パルス幅変調信号のいくつかの実施例を示す波形図である。
【発明を実施するための形態】
【００１２】
本発明の詳細な説明及び技術内容について、図面を参照して以下に説明するが、図面は、ただ参考及び説明に用いるのみであり、本発明に制限を加えるものではない。
【００１３】
図１は、本発明のバーストモード電源供給方法の第１の実施例を示すフローチャート図である。本発明のバーストモード電源供給方法は下記のようなステップを含む。
【００１４】
ステップＳ０２において、電源供給装置がバーストモード（ｂｕｒｓｔ  ｍｏｄｅ）で動作している場合、電源供給装置の各パルス群（ｂｕｒｓｔ  ｃｌｕｍｐ）内のパルス数（ｐｕｌｓｅ  ｑｕａｎｔｉｔｙ）、電源供給装置の各パルス群内のパルス周波数（ｐｕｌｓｅ  ｆｒｅｑｕｅｎｃｙ）及び電源供給装置の各パルス群内のパルスデューティサイクル（ｐｕｌｓｅ  ｄｕｔｙ  ｃｙｃｌｅ）を保持する。
【００１５】
ステップＳ０４において、電源供給装置に接続される負荷を検出する。もし、電源供給装置に接続される負荷が増加する場合は、ステップＳ０６に移行する。一方、電源供給装置に接続される負荷が減少する場合は、ステップＳ０８に移行する。
【００１６】
ステップＳ０６において、電源供給装置に接続される負荷が増加する場合には、電源供給装置のパルス群のバースト周波数（ｂｕｒｓｔ  ｆｒｅｑｕｅｎｃｙ）を増加させる。
【００１７】
ステップＳ０８において、電源供給装置に接続される負荷が減少する場合には、電源供給装置のパルス群のバースト周波数を減少させる。
【００１８】
上記ステップＳ０６及びステップＳ０８において、依然として、電源供給装置の各パルス群内のパルス数、パルス周波数及びパルスデューティサイクルを保持する。
【００１９】
図２は、本発明のバーストモード電源供給方法の第２の実施例を示すフローチャート図である。本発明のバーストモード電源供給方法は下記のようなステップを含む。
【００２０】
ステップＴ０２において、電源供給装置がバーストモードに入るように制御する。
【００２１】
ステップＴ０４において、電源供給装置がバーストモードに制御されると、電源供給装置の各パルス群内のパルス数を保持する。
【００２２】
ステップＴ０６において、電源供給装置がバーストモードに制御されると、電源供給装置の各パルス群内のパルス周波数を保持する。
【００２３】
ステップＴ０８において、電源供給装置がバーストモードに制御されると、電源供給装置の各パルス群内のパルスデューティサイクルを保持する。
【００２４】
ステップＴ１０において、電源供給装置に接続される負荷を検出する。もし、電源供給装置に接続される負荷が増加する場合は、ステップＴ１２に移行する。一方、電源供給装置に接続される負荷が減少する場合は、ステップＴ１４に移行する。
【００２５】
ステップＴ１２において、電源供給装置に接続される負荷が増加する場合には、電源供給装置のパルス群のバースト周波数を増加させる。
【００２６】
ステップＴ１４において、電源供給装置に接続される負荷が減少する場合には、電源供給装置のパルス群のバースト周波数を減少させる。
【００２７】
上記ステップＴ１２及びステップＴ１４において、依然として、電源供給装置の各パルス群内のパルス数、パルス周波数及びパルスデューティサイクルを保持する。
【００２８】
図３は、本発明のバーストモード電源供給装置のブロック図である。本発明のバーストモード電源供給装置１０は、負荷２０に用いられる。バーストモード電源供給装置１０は、電圧入力端１０２と、パワースイッチ回路１０４と、電圧出力端１０６と、パルス幅変調信号生成回路１０８と、負荷検出回路１１０と、を含む。
【００２９】
パワースイッチ回路１０４は、電圧入力端１０２及び負荷２０に電気的に接続される。電圧出力端１０６は、パワースイッチ回路１０４及び負荷２０に電気的に接続される。パルス幅変調信号生成回路１０８は、パワースイッチ回路１０４に電気的に接続される。負荷検出回路１１０は、パワースイッチ回路１０４、電圧出力端１０６、パルス幅変調信号生成回路１０８及び負荷２０に電気的に接続される。
【００３０】
パルス幅変調信号生成回路１０８は、バーストモード電源供給装置１０がバーストモードに入るように、パルス幅変調信号１１２によりパワースイッチ回路１０４を制御する。バーストモード電源供給装置１０がバーストモードに制御されると、バーストモード電源供給装置１０の各パルス群内のパルス数を保持する。バーストモード電源供給装置１０がバーストモードに制御されると、バーストモード電源供給装置１０の各パルス群内のパルス周波数を保持する。バーストモード電源供給装置１０がバーストモードに制御されると、バーストモード電源供給装置１０の各パルス群内のパルスデューティサイクルを保持する。
【００３１】
バーストモード電源供給装置１０がバーストモードに制御されると、負荷検出回路１１０は、負荷２０を検出し、パルス幅変調信号生成回路１０８に通知する。負荷２０が増加する場合、パルス幅変調信号生成回路１０８は、バーストモード電源供給装置１０のパルス群のバースト周波数を増加させるが、依然としてバーストモード電源供給装置１０の各パルス群内のパルス数、パルス周波数及びパルスデューティサイクルを保持する。負荷２０が減少する場合、パルス幅変調信号生成回路１０８は、バーストモード電源供給装置１０のパルス群のバースト周波数を減少させるが、依然としてバーストモード電源供給装置１０の各パルス群内のパルス数、パルス周波数及びパルスデューティサイクルを保持する。
【００３２】
入力電圧１１４は、電圧入力端１０２を通じてパワースイッチ回路１０４に伝送され、パルス幅変調信号生成回路１０８は、パルス幅変調信号１１２をパワースイッチ回路１０４に伝送することにより、パワースイッチ回路１０４は、パルス幅変調信号１１２により入力電圧１１４を出力電圧１１６に変換するように制御され、パワースイッチ回路１０４は、電圧出力端１０６を通じて出力電圧１１６を出力する。
【００３３】
また、各パルス群内のパルス数としては、１、２又はｎ（ｎは１以上の整数）であることが挙げられるが、本発明はこれに限定されない。各パルス群内のパルスデューティサイクルは５０％であってもよいが、本発明はこれに限定されない。
【００３４】
本発明によれば、電源供給装置は、バーストモードで動作している場合、電源供給装置の各パルス群内のパルス数、パルス周波数及びパルスデューティサイクルをいつも保持するようにしている。電源供給装置に接続される負荷が増加する場合は、電源供給装置のパルス群のバースト周波数のみを増加させる。一方、電源供給装置に接続される負荷が減少する場合は、電源供給装置のパルス群のバースト周波数のみを減少させる。これにより、省エネルギー及びリップルノイズの低減を最適化（変数がバースト周波数のみである）可能な電源供給装置を容易に設計することができる。
【００３５】
図４は、パルス幅変調信号のいくつかの実施例を示す波形図である。上から１番目の波形は４つのパルス群を示し、同２番目の波形は３つのパルス群を示し、同３番目の波形は２つのパルス群を示しており、パルス群が出現する周波数をバースト周波数と称する。上から３番目の波形が対応する負荷２０は一番小さい。上から２番目の波形が対応する負荷２０は、同３番目の波形が対応する負荷２０より大きい。上から１番目の波形が対応する負荷２０は、同２番目の波形が対応する負荷２０より大きい。上記３つの波形の各パルス群内のパルス数、パルス周波数及びパルスデューティサイクルは同じであり、バースト周波数のみは負荷２０に伴って変動する。つまり、負荷２０が大きくなれば、バースト周波数は高くなり、負荷２０が小さくなれば、バースト周波数は低くなる。
【００３６】
本発明によれば、バーストモード電源供給装置１０がバーストモードで動作している場合、省エネルギー及びリップルノイズの低減を両立することができる。
【符号の説明】
【００３７】
１０  バーストモード電源供給装置
２０  負荷
１０２  電圧入力端
１０４  パワースイッチ回路
１０６  電圧出力端
１０８  パルス幅変調信号生成回路
１１０  負荷検出回路
１１２  パルス幅変調信号
１１４  入力電圧
１１６  出力電圧
【図１】
2017011792.tif 000003
【図２】
2017011792.tif 000004
【図３】
2017011792.tif 000005
【図４】
2017011792.tif 000006